(57)【特許請求の範囲】
【請求項１】
ファインダを有するカメラにおいて、
上記ファインダ内に第１の画像及び複数の第２の画像を形成する画像形成手段を有し、
上記第１の画像が現在の撮影構図を示し、上記複数の第２の画像が上記第１の画像のトリミング若しくは拡大で形成される画像であって上記第１の画像が示す撮影構図と異なる構図を示すように、画像表示を行なうことを特徴とするカメラ。
【発明の詳細な説明】
【０００１】
【発明の属する技術分野】
本発明は、ファインダについて改良を施したカメラに関し、特に画面を分割して複数の画面を表示可能としたカメラに関する。
【０００２】
【従来の技術】
従来より、例えば特開平５−１００２８８号公報では、ファインダの改良によって撮影範囲よりも広い範囲を観察可能とし、撮影時の状況の視認性を高めたカメラに関する技術が開示されている。
【０００３】
さらに、特開平９−３２６９９２号公報では、ファインダ画面内の一部を拡大可能としたファインダに関する技術が開示されている。
【０００４】
【発明が解決しようとする課題】
しかしながら、これらの従来技術は、撮影者がどのような構図で撮影を行うかを判断する上で、十分な技術とは言えなかった。
【０００５】
本発明は、上記問題に鑑みてなされたもので、その目的とするところは、ユーザーがファインダに表示された複数の画面を見て、どの構図が良いかを比較しながら判断することを可能とし、撮影時に瞬時に構図を変更して撮影動作に入ることを可能とし、更にはシャッターチャンスを逃さすことなく写真撮影を楽しむことを可能ならしめるカメラを提供することにある。
【０００６】
【課題を解決するための手段】
上記目的を達成するために、本発明の第１の態様では、ファインダを有するカメラにおいて、上記ファインダ内に第１の画像及び複数の第２の画像を形成する画像形成手段を有し、上記第１の画像が現在の撮影構図を示し、上記複数の第２の画像が上記第１の画像のトリミング若しくは拡大で形成される画像であって上記第１の画像が示す撮影構図と異なる構図を示すように、画像表示を行なうことを特徴とする。
【０００８】
上記第１の態様によれば以下の作用が奏される。
【０００９】
即ち、本発明の第１の態様では、第１の画像が現在の撮影構図を示し、複数の第２の画像が第１の画像のトリミング若しくは拡大で形成される画像であって第１の画像が示す撮影構図と異なる構図を示すように、画像表示が行われる。
【００１０】
【発明の実施の形態】
以下、図面を参照して、本発明の実施の形態について説明する。
【００１１】
図１（ｂ）に示されるように、ズームスイッチ２ｂで駆動操作されるズームレンズ３が配設されたカメラにおいては、ユーザー１０１はレリーズスイッチ２ａとズームスイッチ２ｂを操作して構図とシャッターチャンスを調節して撮影を行なう（図４（ａ）参照）。このとき、オートフォーカス（以下、ＡＦと称する）、測光（以下、ＡＥと称する）部２８等によって、ピント合せや露出はカメラ側が自動で調節する。これに対して、所望とする構図やシャッターのタイミングについては、ユーザー自身が決定する必要がある。
【００１２】
ここで、ズームレンズ３のズーミング位置（画角）や縦横の構図のどちらが良いかを決定する場合には、図４（ａ），（ｂ）に示されるように、カメラの構図を切り換えたり、ズームスイッチ２ｂを操作する等といった動作を繰り返す必要があることから、非常に時間を要していた。
【００１３】
つまり、図５に示されるように、被写体１０２を撮影する時でも、カメラ１００の構え方やズーム位置によって写し込む範囲が、範囲１０３（横構図望遠側）、範囲１０４（横構図広角側）、範囲１０５（縦構図広角側）等に変化する。その都度、ファインダ画面は、図６（ａ）乃至（ｃ）に示されるように変化するが、各状況に応じて、どの構図が良いかは簡単には決められない。
【００１４】
即ち、人物の表情が重要ならば、図６（ａ）に示すような構図がよく、その時の風景が重要ならば、図６（ｂ），（ｃ）に示すように背景の山や湖が写る構図が好ましい。しかし、これらは、同時には確認することができないので、ユーザーは何度もズーミングや構え方の変更等といった操作を繰り返すことになる。
【００１５】
そこで、本発明は、図２（ａ），（ｂ）に示すように、ファインダ画面１１０の中に現在その状態で撮影した時に写真となる構図１１１のほか、ズーミング位置を変更した時の構図１１２やカメラを縦に構えた時の構図１１３を同時に表示できるようにして、ユーザーがその中から好きな構図を選んで撮影方法を決定し易くしたことに特徴を有するものである。以上の前提事項をふまえて、以下、本発明の実施の形態について説明する。
【００１６】
先ず、本発明の第１の実施の形態について説明する。
【００１７】
図１（ａ）は第１の実施の形態に係るカメラの構成図である。
【００１８】
被写体をモニタする手段は２つある。すなわち、対物系２０，光路遮蔽ＬＣＤ２１，プリズム２２，接眼レンズ４ａと、ＣＣＤ等の電子撮像素子２６及びこれらに被写体像を導く対物レンズ２５である。
【００１９】
そして、上記光学ファインダ４ａの前面に配設されたプリズム２２は、レンズ２４から入射した光を反射し、また対物レンズ２０からの光を透過して、両方の光をユーザー１０１に観察可能に導いている。
【００２０】
かかる構成のみでは、２つ光路からの光が混在し不具合が生じてしまう。
【００２１】
そのような事態を防止するために、上記光路遮蔽ＬＣＤ２１で、必要により前方からの光をマスクするような構成としている。
【００２２】
上記レンズ２４からの光は、カラーＬＣＤ５の像をバックライト（以下、Ｂ．Ｌと称する）部２３によって照射した像である。
【００２３】
このバックライト部２３の光の照射を無くせば、当該カラーＬＣＤ５からの光は導かれなくなるので、光路遮蔽ＬＣＤ２１は特に必要ではない。
【００２４】
このカラーＬＣＤ５の表示像は、上記電子撮像素子２６から入力された画像データを処理回路によって処理したものとなっている。
【００２５】
この処理は、主に「トリミング」と「拡大」であり、図５中に符号１０６で示した範囲の像から像１０３，１０５を形成するもので、現状光学ファインダ系で見えている構図とは異なる構図を表示するようにする。
【００２６】
そのために、ズーム検出部や、縦横検出部３０を利用して、現状２００Ｍ状態、縦横状態を判定し、それとは異なる構図を図示する。
【００２７】
こうした判断やカメラ全体のシーケンス制御を司るのが、ワンチップマイコン等からなる演算制御手段（以下、ＣＰＵと称する）１である。このＣＰＵ１は、撮影時にＡＦ・ＡＥ部２８を制御し、測距・測光を行ってピント合せ位置やストロボ２９の発光の有無等を決定する。
【００２８】
こうしたカメラの外観図は、図１（ｂ）に示される。
【００２９】
この図１（ｂ）に示されるように、カメラの前面には、光学ファインダ２０の他、電子ファインダ用レンズ２５が配設されている。
【００３０】
以下、図３のフローチャートを参照して、第１の実施の形態に係るカメラのメインシーケンスを詳細に説明する。
【００３１】
ユーザーが、ズームスイッチ２ｂを操作することによって構図候補モニタモードに設定すると、光学ファインダの対物の光束を一部遮蔽して、その部分に電子画像を表示する（ステップＳ１，Ｓ２）。
【００３２】
つまり、ＣＣＤ等による電子撮像素子２６で電子画像を取り込み（ステップＳ３）、現状のズーム状態や縦横状態を判定して（ステップＳ４）、それらの状態とは異なるズーム状態や、縦横構図状態の画像をカラーＬＣＤ５に加工表示する（ステップＳ５）。この後、レリーズ操作をレリーズスイッチ２ａの判定により検出し（ステップＳ６）、撮影シーケンスに入るが、レリーズスイッチ２ａがオンされる前は、ステップＳ１〜Ｓ６を所定のシーケンスで繰り返す。
【００３３】
画像加工表示時には、その画像で撮影するにはどうすればよいかを一緒に表示する。即ち、現状ワイドより画面ならば、テレ時は符号１１２のようになる、という事を示唆するために、サブ図面の上に「Ｔ」と表示し、現状横構図なら、そのサブ画面の下あたりに「縦」と表示すると共に、サブ画面には、縦構図時の画面を表示する。また、ユーザーの設定によっては現状を含め３つの画面を並べて比較できるようにしてもよい（図２（ａ），（ｂ）参照）。
【００３４】
以上説明したように、第１の実施の形態によれば、ズーミングや縦横構図の差をユーザーに判りやすくモニタ可能としたので、ユーザーは最適の構図を瞬時に判断し、迅速な撮影の補助とする事ができる。
【００３５】
次に本発明の第２の実施の形態について説明する。
【００３６】
図７は本発明の第２の実施の形態に係るカメラの構成を示す図である。
【００３７】
ここでは、一眼レフタイプのカメラを前提としている。
【００３８】
この図７において、撮影レンズ（ズームレンズ）３から入射した被写像は、クイックリターンミラー（以下、メインミラーと称する）８により上方に反射され、フォーカシングスクリーン６上に結像される。
【００３９】
更に、レンズ４ｂによって拡大された後、ペンタプリズム４によって像方向の整合が行われ、接眼レンズ４ａを介してユーザーの眼２０に導かれる。
【００４０】
上記メインミラー８は、ハーフミラー形状となっており、ペンプリズム４の方向に反射されない光はメインミラー８の略中央部分を透過し、当該メインミラー８に配設されたサブミラー９を介して下方に反射される。
【００４１】
この第２の実施の形態では、このサブミラー９に特徴がある。
【００４２】
即ち、ホログラムによる波長選択性の反射効果で、赤外光は、コンデンサレンズ１２、ミラー１３、セパレーターレンズ１４及びセンサアレイ１５からなる位相差ＡＦ光学系へと導かれることになる。
【００４３】
これは、撮影レンズ３の異なるポイントを通った光、即ち瞳分割した光による像位置の差異に従ってピント合せを行なうもので、一般的な一眼レフカメラに用いられている方式である。このＡＦの結果に応じて、レンズドライブ（ＬＤ）部３ａを介してピント合せが行なわれることになる。
【００４４】
一方、上記サブミラー９のホログラムによる反射の他方の反射光は、即ち可視光成分は、レンズ１０を介してＣＣＤ１１に導かれる。
【００４５】
この可視光成分による像は、ＡＦ時にはコントラストの大小を判定する事により、山登り方式のＡＦ信号として利用することができる他、電子ビューファインダの入力像としても利用することができる。この実施の形態では、ワンチップマイコン等からなる処理回路たるＣＰＵ１が、当該画像をどのように加工するかによって、上記いずれの機能に用いるかが決定される。
【００４６】
電子ビューファインダ時には、ＣＰＵ１は、得られた画像信号に基づいてＬＣＤドライバ５ａを介してカラーＬＣＤ５を制御し、電子画像を再生する。
【００４７】
この再生画像は、レンズ１６、プリズム１６ａを介してペンタプリズム４内に導かれ、撮影者による視認を可能としている。この再生像と、メインミラー８を介してペンタプリズム１６ａに入射する光が混ざると、見えが悪くなるので、フォーカシングスクリーン６をＬＣＤで構成し、ＣＰＵ１がＬＣＤドライバ６ａを介して当該ＬＣＤの透過／非透過を制御する。
【００４８】
これにより、上記電子像が入射する部分はメインミラー８側からの光は非透過として、クロストークが起こらないようにしている。また、撮影時にはメインミラー８は撮影レンズ３の光軸光路上から退避し、シャッター７が開放し、フィルム７ａに調節した位置にピントの合った像が露光される。
【００４９】
また、位相差ＡＦ時は、セパレーターレンズ１４で分離された瞳分割による被写体像がセンサアレイ１５上で所定の位置関係になった時に、フィルム７ａ上のピント位置が最適位置になるように、その位置関係をＥＥＰＲＯＭ（記憶部）１ａに製造工程で記憶しておく。
【００５０】
この時、レンズの色収差による赤外光と可視光のピント位置差を考慮する。
【００５１】
また、コントラストＡＦ時も、フィルム上に像が最適なピントになる時に、ＣＣＤ上の像も最適となるようにカメラの製造工程で位置調整をしておく。
【００５２】
従って、撮影レンズのピント位置をマニュアルで調整しつつ、ＣＣＤ１１の画像をモニタ５の上で確認すると、ピントの合った時には明確にピントの状態が確認できる。電子画像は、拡大したりシャープネスを強調したり画像処理ができるので、この電子画像を見ながらの方がマニュアル調整が容易となる。
【００５３】
視力に自信のある人は、フォーカシングスクリーン６上の光学的な像をモニタしつつピント合せをしてもよいことは勿論である。また、ＡＦに任せるユーザーは、スイッチ２ｂの制御でＡＦモードにしておけばよい。
【００５４】
このとき、暗い時には自動的に赤外発光ダイオード１８がドライバ１８ａを介して発光し、レンズ１７で被写体上に集光させるようにすれば補助光像を頼りに位置差ＡＦで自動でピント合せをすることができる。尚、ＣＰＵ１に接続されているスイッチ２ａはシャッター用のスイッチである。
【００５５】
また、この実施の形態に係るカメラの特徴たる構図候補表示用に、このＥＶＦ機能を応用することもできる。このとき、ＣＣＤ１１上に像を結ばせるために、メインミラー（ハーフミラー）８を透過し、サブミラー９で反射した光をレンズ１０で集光し、ＣＣＤ１１で得られた像を、図２（ａ）に示されるように、サブ画面１１２，１１３に表示すればよい。
【００５６】
以下、図８のフローチャートを参照して、第２の実施の形態に係るカメラの動作を詳細に説明する。
【００５７】
先ず、マニュアルフォーカスモードに設定されているか否かが判断され（ステップＳ１１）、マニュアルフォーカスモードに設定されている場合には、ＬＣＤドライバ６ａの一部を非透過に制御し（ステップＳ１８）、ＣＣＤ画像をＬＣＤドライバ５ａを制御して入力表示し（ステップＳ１９）、加工画像をＬＣＤ５に表示し（ステップＳ２０）、レリーズがオフならば上記ステップＳ１１に戻り、レリーズがオンされるとステップＳ１７に移行する（ステップＳ２１）。
【００５８】
上記ステップＳ１１において、ＭＦモードに設定されていない場合において、構図候補表示モードに設定されている場合、構図を記憶するか否かを判断し（ステップＳ２２）、記憶する場合にはコントラストＡＦを行い（ステップＳ２３）、ＬＣＤドライバ６ａを駆動してＬＣＤ６の一部分を非透過に制御し（ステップＳ２４）、ＣＣＤ画像をＬＣＤドライバ５ａを制御してＬＣＤ５に入力表示する（ステップＳ２５）。そして、レリーズがオフならば上記ステップＳ１１に戻り、レリーズがオンされるとステップＳ１７に移行する（ステップＳ２１）。
【００５９】
上記ステップＳ１２において、構図候補表示モードに設定されていない場合において、レリーズがオンされると（ステップＳ１３）、位相差ＡＦを行い（ステップＳ１４）、信頼性がある場合には、そのままステップＳ１７へ移行し、信頼性が無い場合には、ＬＤ駆動コントラストＡＦを行いステップＳ１７へ移行する。ステップＳ１７では、露光を行い、リターンする。
【００６０】
このように、マニュアルフォーカスモードでは、マニュアルでピント合せし易いようにした画面中央部の加工画像であり、構図候補表示モードでは、構図記憶スイッチ（例えば、図４（ａ），（ｂ）の２Ｃ）が操作されたタイミングでピント合せされた（ステップＳ２３）構図の像を記憶してサブ画面に表示する。
【００６１】
ＭＦモードや構図候補表示モードでない時には、レリーズスイッチ２ａが操作された時に、位相差ＡＦ（ステップＳ１４〜Ｓ１６）等を用いてピント合せをして露光制御を行なう。この時、表示されたサブ画面（図２（ａ），（ｂ）の符号１１２等）を参考にして、撮影を行なうことになる。
【００６２】
以上説明したように、第２の実施の形態によれば、一眼レフタイプのカメラでも本発明の特徴たる構図候補表示を利用して、慎重に構図を決定して失敗のない写真撮影が楽しめる。
【００６３】
つまり、ユーザーが候補となる構図を見つけると、その度に構図記憶スイッチを操作すれば、記憶された画像がサブ画面として表示され、現状のメインの画面と同時にモニタできるので、どちらが良いかを吟味しながら撮影ができる。
【００６４】
以上説明したように、本発明によれば、撮影時の構図決定に悩む状況において、ユーザーに判り易く、現在の構図と異なる構図を同時に示して、即時の構図決定と操作を促して、即写性を高めたカメラを提供する事ができる。
【００６５】
【発明の効果】
本発明によれば、ユーザーがファインダに表示された複数の画面を見て、どの構図が良いかを比較しながら判断できるので、撮影時に瞬時に構図を変更して撮影動作に入ることができ、更にはシャッターチャンスを逃さずに写真撮影を楽しめるカメラを提供することができる。
【図面の簡単な説明】
【図１】本発明の第１の実施の形態に係るカメラの構成図である。
【図２】第１の実施の形態に係るカメラのファインダ画面の一例を示す図である。
【図３】第１の実施の形態に係るカメラのメインシーケンスである。
【図４】第１の実施の形態に係るカメラによる撮影状況を示す図である。
【図５】第１の実施の形態に係るカメラによる写し込み範囲を示す図である。
【図６】図５中の各範囲に対応したファインダ画面を示す図である。
【図７】第２の実施の形態に係るカメラの構成を示す図である。
【図８】第２の実施の形態に係るカメラの動作を示すフローチャートである。
【符号の説明】
１    ＣＰＵ
１ａ  記憶部（ＥＥＰＲＯＭ）
２ａ  レリーズスイッチ
２ｂ  ズームスイッチ
３    ズームレンズ
４    ペンタプリズム
５    ＬＣＤ
５ａ  ＬＣＤドライバ
６    フォーカシングスクリーン
６ａ  ＬＣＤドライバ
７    シャッタ
７ａ  フィルム
８    クイックリターンミラー（メインミラー）
９    サブミラー
１０    レンズ
１１    ＣＣＤ
１２    コンデンサレンズ
１３    ミラー
１４    セパレータレンズ
１５    センサアレイ
１６    レンズ
１７    レンズ
１８    赤外発光ダイオード
２０    対物レンズ
２１    光路遮蔽ＬＣＤ
２２    プリズム
２３    Ｂ．Ｌ部
２４    レンズ
２５    対物レンズ
２６    ＣＣＤ
２７    画像処理部
２８    ＡＦ・ＡＥ部
２９    ストロボ
３０    縦横検出部
【図１】
0004499271.tif 000002
【図２】
0004499271.tif 000003
【図３】
0004499271.tif 000004
【図４】
0004499271.tif 000005
【図５】
0004499271.tif 000006
【図６】
0004499271.tif 000007
【図７】
0004499271.tif 000008
【図８】
0004499271.tif 000009